(57)【要約】【課題】検針時、移動時に最適な位置に各種検針機器等を配置することができる検針作業用ベルトを提供すること。【解決手段】検針作業用ベルト２０は、検針員１０の腰部に巻き付けられる腰ベルト３０と、腰ベルト３０に両端部が取り付けられ、検針員１０の肩にたすき掛けされる肩掛ベルト４０とからなり、腰ベルト３０には取付ステー３３、プリンタホルダ３４、ロール紙ホルダ３５、バッテリホルダ３６が位置変更可能に配置するとともに、肩掛ベルト４０には身分証クリアケース４３、用具ホルダ４４，４５を取り付けて構成した。【選択図】図１
2007131984.tif 000002
【特許請求の範囲】
【請求項１】
連結結合自在のバックルを備えた腰ベルト及び前記腰ベルトに両端部が取り付けられた肩掛ベルトを備え、
前記腰ベルトにはデータを入力するハンディターミナルを保持するハンディターミナル保持部、検針票を印刷するプリンタを保持するプリンタ保持具、前記ハンディターミナル及びプリンタの交換電池を保持する電池保持具、プリンタの交換用紙を保持する用紙保持具を配置位置可変に配置し、
前記肩掛ベルトに身分証が挿入され身分証の身分表示部を表示する身分表示票保持具を配置したことを特徴とする検針作業用ベルト。
【請求項２】
前記ハンディターミナル保持具及びプリンタ保持具は、前記バックルを挟んだ位置に配置されていることを特徴とする請求項１記載の検針作業用ベルト。
【請求項３】
前記ハンディターミナル保持具は、ハンディターミナルに係合する取付ステーであることを特徴とする請求項１または２記載の検針用作業ベルト。
【請求項４】
前記プリンタ保持具は、前記腰ベルトに沿って移動可能に構成したことを特徴とする請求項１ないし３のいずれか一記載の検針作業用ベルト。
【請求項５】
前記プリンタ保持具は、前記腰ベルトとの間に滑り止め加工が施されていることを特徴とする請求項４記載の検針作業用ベルト。
【請求項６】
前記腰ベルト及び前記肩掛ベルトのうち少なくとも一方のベルトには、光反射材が配置されていることを特徴とする請求項１ないし５のいずれか一記載の検針作業用ベルト。
【発明の詳細な説明】
【技術分野】
【０００１】
本発明は検針作業用ベルトに係り、特にバックルを備えた腰ベルト及び前記腰ベルトに両端部取り付けられた肩掛ベルトを備え、検針に使用する装置器具を装着することができる検針作業用ベルトに関する。
【背景技術】
【０００２】
需要家の電力使用料金は、例えば電力使用量により定められ、この電力使用量は、需要家宅に設けられた電力メータの指示数を定期的例えば毎月の所定日に検針員が確認することにより計量している。このとき検針員は、ハンディターミナルに目視確認した指示数を入力し、このハンディターミナルにより当月の電力使用量、使用料金等を算定し、さらにハンディターミナルに接続したプリンタで、契約番号、契約種別、使用量、請求予定額、翌月検針日等が記載された検針票をプリンタで出力して需要家に渡すようにしている。
【０００３】
検針員は、このような検針に際しては、前記ハンディターミナル、プリンタの他、ハンディターミナル及びプリンタの予備電池、プリンタ用補充印刷用紙、筆記具、照明器具、確認鏡を持参し、各需要家宅を巡回する。また、検針員は、常時自分が検針員であることを表示する身分証の表示部を提示した状態であることが望まれる。
【０００４】
このように、各種の複数の装置器具を携帯するに際して、これらをベルトや衣服に取り付けるようにすると、装置器具をまとめて携帯することができ便利なものとなる。
【０００５】
特許文献１には、複数の工具を収納するポケット、収納鞘を形成した工具用装着作業服が記載されている。
【０００６】
【特許文献１】実登第３０１２３０２号公報
【発明の開示】
【発明が解決しようとする課題】
【０００７】
ここで、検針員が電力メータを視認したり、ハンディターミナルに入力したり、プリンタで検針票の印刷を行ったりするときには、ハンディターミナルやプリンタは、体の前方に配置して各動作を行うことが望ましい。
【０００８】
ところで、検針員は、巡回に際しては営業所及び各需要家宅間を、徒歩の他、さまざまな交通手段、例えば自動車、二輪車、自転車などで移動する。このような移動時にハンディターミナルやプリンタが体の前側に固定されていると、二輪車や自転車を運転する邪魔になることがある。
【０００９】
従って、ただ単に検針用具を一つにまとめることができる器具では実際の検針作業、移動にあたって使用しにくかったり、邪魔になったりするという問題がある。
【００１０】
そこで、本発明は検針時、移動時に最適な位置に各種検針機器等を配置することができる検針作業用ベルトを提供することを目的とする。
【課題を解決するための手段】
【００１１】
請求項１の発明は、連結結合自在のバックルを備えた腰ベルト及び前記腰ベルトに両端部が取り付けられた肩掛ベルトを備え、前記腰ベルトにはハンディターミナルを保持するハンディターミナル保持部、検針票を印刷するプリンタを保持するプリンタ保持具、前記ハンディターミナル及びプリンタの交換電池を保持する電池保持具、プリンタの交換用紙を保持する用紙保持具を配置位置可変に配置し、前記肩掛ベルトに身分証が挿入され身分証の身分表示部を表示する身分表示票保持具を配置したことを特徴とする検針作業用ベルトである。
【００１２】
請求項２の発明は、請求項１記載の検針作業用ベルトにおいて、前記ハンディターミナル保持具及びプリンタ保持具は、前記バックルを挟んだ位置に配置することを特徴とする。
【００１３】
請求項３の発明は、請求項１または２記載の検針用作業ベルトにおいて、前記ハンディターミナル保持具は、ハンディターミナルに係合する取付ステーであることを特徴とする。
【００１４】
請求項４の発明は、請求項１ないし３のいずれか一記載の検針作業用ベルトにおいて、前記プリンタ保持具は、前記腰ベルトに沿って移動可能に構成したことを特徴とする。
【００１５】
請求項５の発明は、請求項４記載の検針作業用ベルトにおいて、前記プリンタ保持具は、前記腰ベルトとの間に滑り止め加工が施されていることを特徴とする。
【００１６】
請求項６の発明は、請求項１ないし５のいずれか一記載の検針作業用ベルトにおいて、前記腰ベルト及び前記肩掛ベルトのうち少なくとも一方のベルトには、光反射材が配置されていることを特徴とする。
【発明の効果】
【００１７】
請求項１に記載の本発明によれば、すべての検針用具を１つの検針作業用ベルトに取り付けることができ、作業の種類に応じて、検針用具をその作業に最適な位置に配置することができる他、身分証を常に提示可能な状態にできる。
【００１８】
請求項２に記載の本発明によれば、検針時に使用するハンディターミナル及びプリンタを体の前側で保持することができ、検針時の利便性が高まる。
【００１９】
請求項３に記載の本発明によれば、ハンディターミナル保持具をハンディターミナルに係合する取付ステーとしたから、ハンディターミナルを安定して保持できる。
【００２０】
請求項４に記載の本発明によれば、プリンタ保持具を腰ベルトに沿って移動可能としたから、特に重量があるプリンタを作業に最適な位置に保持できる。
【００２１】
請求項５に記載の本発明によれば、プリンタ保持具と記腰ベルトとの間には滑り止め加工が施されているから、意図しないプリンタの移動を防止することができる。
【００２２】
請求項６に記載の本発明によれば、検針作業用ベルトには、光反射材が配置されているから、夜間において、検針員の存在を目立たせることができる。
【発明を実施するための最良の形態】
【００２３】
以下本発明を実施するための最良の形態を図面に基づいて説明する。図１は実施の形態に係る検針作業用ベルトの展開図、図２は図１に示した検針作業用ベルトのプリンタホルダを示す斜視図である。
【００２４】
本例において、検針作業用ベルト２０は、図１に示すように、検針員１０の腰部に巻き付けられる腰ベルト３０と、腰ベルト３０に両端部が取り付けられ、検針員１０の肩にたすき掛けされる肩掛ベルト４０とを備える。腰ベルト３０は布製の帯状基材３１をバックル３２で取付け取り外し可能かつ寸法調整可能に連結して構成される。また、肩掛ベルト４０は布製の帯状基材４１の中間個所にバックル４２を備え、その両端を腰ベルト３０の帯状基材３１に縫いつけられ形成される。本例では、肩掛ベルト４０のバックル４２は、検針員１０の前側に配置され、帯状基材４１を分割、寸法調整可能に構成される。
【００２５】
本例では、腰ベルト３０には、バックル４２を挟んで、一方側には、プリンタ（図示せず）を収納するプリンタ保持具としてのプリンタホルダ３４、プリンタの交換用紙であるロール状印刷用紙（図示せず）を格納する用紙保持具としてのロール紙ホルダ３５が設けられる。
【００２６】
また、バックル３２の他方側には、データ入力用のハンディターミナル５１に係合して保持するハンディターミナル保持部としての取付ステー３３、前記ハンディターミナル５１及びプリンタの交換電池（図示せず）を保持する電池保持具であるバッテリホルダ３６、及び塵芥を収納する塵芥袋５２を取付け可能なフック部材としてのフック部３７が設けられている。
【００２７】
本例では、プリンタホルダ３４、ロール紙ホルダ３５、バッテリホルダ３６は、防水加工が施された布製の部材であり収納される機器の大きさに合わせて形成され、ファスナ、面ファスナなどで開閉可能な開口を備え、各機材を格納、取り出し可能に形成されている。これらのホルダをプリンタホルダ３４を例として説明する。図３に示すように、プリンタホルダ３４は機器を収納する収納部３４ａと、収納部３４ａの裏側に設けられたベルト取付帯環部３４ｂとから構成される。更に、このベルト取付帯環部３４ｂの内面には、ゴム材をコーティングして滑り止め加工が施されており、プリンタホルダ３４を帯状基材３１の任意の位置に移動して配置することができる。
【００２８】
本例では、プリンタホルダ３４は使用者が検針作業を行う際の検針位置、使用者が移動するに際して車両運転動作の支障とならない移動位置に配置できるようにする。また、ロール紙ホルダ３５、バッテリホルダ３６についても同様の構成を備え、プリンタホルダ３４、ロール紙ホルダ３５、バッテリホルダ３６は帯状基材３１に任意の配置順序で配置することができるものとしている。
【００２９】
次に肩掛ベルト４０について説明する。本例では、肩掛ベルト４０の帯状基材４１には、身分証（図示せず）をその表示面を表として提示できる身分表示票保持具としての身分証クリアケース４３が設けられている。この身分証クリアケース４３は身分証を出し入れ可能に形成されており、必要に応じて身分証を入れておける。
【００３０】
更に、本例では肩掛ベルト４０には、筆記具、ペンライト等の照明器具、隠れた電力メータを見るために使用する検針用鏡等の検針用具（全て図示せず）を保持する用具保持部としての用具ホルダ４４，４５を設けている。この用具ホルダ４４，４５は、図３に示すように、帯状基材４１に伸縮性に富む布材４６を間隔を開けた縫目４７で結合して形成する。検針用具は前記布材４６の縫目４７で挟まれた部分に差し込まれることにより保持される。
【００３１】
そして、本例では、腰ベルト３０及び肩掛ベルト４０は、検針員１０装着時に背中側に位置する個所に光反射材３８が設けられている。これにより夜間における検針員１０の視認性が向上する。
【００３２】
以上説明したように本例に係る検針作業用ベルト２０によれば、検針時、移動時に最適な位置に必要とする各種検針機器等を配置することができる。
【００３３】
なお、上記例では、腰ベルト３０には、ハンディターミナル保持部としての取付ステー３３、プリンタホルダ３４、ロール紙ホルダ３５、バッテリホルダ３６、フック部３７を取り付けるにしたが、必要に応じて取り付けるホルダ等を追加、選択することができる。
【図面の簡単な説明】
【００３４】
【図１】実施の形態に係る検針作業用ベルトの展開図である。
【図２】図１に示した検針作業用ベルトのプリンタホルダを示す斜視図である。
【図３】図１に示した検針作業用ベルトの肩掛ベルトの断面図である。
【符号の説明】
【００３５】
３０  腰ベルト
３２  バックル
３３  取付ステー（ハンディターミナル保持部）
３４  プリンタホルダ（プリンタ保持具）
３５  ロール紙ホルダ（用紙保持具）
３６  バッテリホルダ（電池保持具）
３７  フック部（フック部材）
３８  光反射材
４０  肩掛ベルト
４３  身分証クリアケース（身分表示票保持具）
４４，４５  用具ホルダ（用具保持部）
５１  ハンディターミナル
５２  塵芥袋
【図１】
2007131984.tif 000003
【図２】
2007131984.tif 000004
【図３】
2007131984.tif 000005